(57)【要約】【課題】計測器により計測することが不可能な生体情報が示す管理対象者の生体状態に応じた対処を行うことが可能な生体情報管理システム及び生体情報管理装置を提供する。【解決手段】携帯電話機２０では、患者２００の血糖値を生体情報管理装置１０へ送信し、生体情報管理装置１０では、送信された血糖値が、予め設定された許容値よりも高い場合に、糖尿病患者用の生体に関する質問を示す質問情報を携帯電話機２０へ送信する。携帯電話機２０では、質問に対する回答を示す回答情報を受け付け、受け付けた回答情報を生体情報管理装置１０へ送信する。生体情報管理装置１０では、その回答情報に基づいて患者２００の生体状態を判定し、判定した生体状態に対応する投薬、食事又は運動に関する指導情報を携帯電話機２０へ送信し、さらに、判定した生体状態に対応する報知方法による病院１００に所属する医療従事者への報知を行う。【選択図】      図１
2004344571.tif 000002
【特許請求の範囲】
【請求項１】
通信装置と、通信線を介して接続される前記通信装置から送信された情報に基づいて、管理対象者の生体状態を示す生体情報を管理する生体情報管理装置とを備える生体情報管理システムにおいて、
前記通信装置は、
生体に関する質問に対する管理対象者の回答を示す回答情報を受け付ける手段と、
受け付けた回答情報を前記生体情報管理装置へ送信する手段と
を備え、
前記生体情報管理装置は、
前記通信装置から受信した回答情報に基づいて、前記管理対象者の生体状態を判定する手段と、
判定した生体状態に対応する投薬、食事又は運動に関する指導情報を前記通信装置へ送信する手段と
を備えることを特徴とする生体情報管理システム。
【請求項２】
前記生体情報管理装置は、
前記生体状態に対応する報知を行う手段
を備えることを特徴とする請求項１に記載の生体情報管理システム。
【請求項３】
前記生体情報管理装置は、
前記生体状態を、時間情報と対応付けて履歴情報として記憶する手段と、
記憶した履歴情報を前記通信装置へ送信する手段と
を備えることを特徴とする請求項１又は２に記載の生体情報管理システム。
【請求項４】
前記生体情報管理装置は、
複数の管理対象者の生体状態を示す生体情報を集団情報として記憶する手段と、
記憶した集団情報に基づいて、受信した回答情報に基づいて判定した生体状態の相対評価を行う手段と、
相対評価を行った結果を前記通信装置へ送信する手段と
を備えることを特徴とする請求項１乃至３の何れかに記載の生体情報管理システム。
【請求項５】
外部装置から通信線を介して送信された情報に基づいて、管理対象者の生体状態を示す生体情報を管理する生体情報管理装置において、
外部装置から受信した、生体に関する質問に対する管理対象者の回答情報に基づいて、前記管理対象者の生体状態を判定する手段と、
判定した生体状態に対応する投薬、食事又は運動に関する指導情報を前記外部装置へ送信する手段と
を備えることを特徴とする生体情報管理装置。
【発明の詳細な説明】
【０００１】
【発明の属する技術分野】
本発明は、管理対象者の生体情報を管理する生体情報管理システム、及び、該生体情報管理システムに用いられる生体情報管理装置に関する。
【０００２】
【従来の技術】
在宅医療等においては、医療施設外の患者と医療施設側の医療従事者との間で、患者の状態、食事に関する指導等の情報交換を行うことが重要であり、様々な方法により情報交換が為されている。通信技術の発達に伴い、最近では、インターネットを介した情報交換が増加してきている。
【０００３】
【非特許文献１】
佐久間  貞行、“遠隔医療と画像診断（３）  遠隔医療の現状”、［          ｏｎｌｉｎｅ］、１９９７年６月、財団法人健康文化振興財団、［平成１４年１１月２６日検索］、インターネット＜ＵＲＬ：ｈｔｔｐ：／／ｗｗｗ．ｍｅｔ．ｎ          ａｇｏｙａ−ｕ．ａｃ．ｊｐ／ＫＥＮＫＯＵ／ｋｂ１８／ｓａｋｕｍａ１８．ｈｔｍｌ  ＞
【非特許文献２】
“心電図電話伝送装置  コーラスネット”、［ｏｎｌｉｎｅ］、１９９９年６月２３日、日本電気システム建設株式会社、［平成１４年１１月２６日検索］、インターネット＜ＵＲＬ：ｈｔｔｐ：／／ｗｗｗ．ｎｅｓｉｃ．ｃｏ．ｊｐ／ｃｙｂ          ｅｒ／ｎｅｗｓ／２１．ｈｔｍｌ  ＞
【非特許文献３】
ダンハム・Ｐ・Ｊ（Ｄｕｎｈａｍ  Ｐ  Ｊ）、外５名、コンピュータ−メディエイテッド・ソーシャル・サポート；シングル・ヤング・マザーズ・アズ・ア・モデル・システム（Ｃｏｍｐｕｔｅｒ−Ｍｅｄｉａｔｅｄ  Ｓｏｃｉａｌ  Ｓｕｐｐｏｒｔ：  Ｓｉ          ｎｇｌｅ  Ｙｏｕｎｇ  Ｍｏｔｈｅｒｓ  ａｓ  ａ  Ｍｏｄｅｌ  Ｓｙｓｔｅｍ）、“アメリカン・ジャーナル・オブ・コミュニティ・シカイアトリ（Ａｍｅｒｉｃａｎ  Ｊｏｕｒｎａｌ  ｏｆ  Ｃｏｍｍ          ｕｎｉｔｙ  Ｐｓｙｃｈｉａｔｒｙ）”、（米国）、１９９８年、第２巻、第２６号、ｐ．２８１−３０６
【０００４】
【発明が解決しようとする課題】
上述した情報交換を行う方法として、計測器により計測して得られる患者の生体状態を示す生体情報を、インターネット等の通信網を介して医療施設が管理するコンピュータ等の装置へ送信することにより、送信された生体情報が示す生体状態に応じて適宜の方法で患者に指導等の対処を行うものがある。しかしながらこの方法においては、計測器により計測することが可能な生体情報についてしか扱うことができず、患者の自覚症状、活動状態等の計測器により計測することが不可能な生体情報が示す生体状態に応じた対処を行うことができないという問題がある。
【０００５】
本発明は斯かる事情に鑑みてなされたものであって、通信装置により生体に関する質問に対する管理対象者の回答を示す回答情報を生体情報管理装置へ送信し、該生体情報管理装置により受信した回答情報に基づいて判定した前記管理対象者の生体状態に対応する投薬、食事又は運動に関する指導情報を前記通信装置へ送信することにより、計測器により計測することが不可能な生体情報が示す管理対象者の生体状態に応じた対処を行うことが可能な生体情報管理システム及び該生体情報管理システムに用いられる生体情報管理装置を提供することにある。
【０００６】
【課題を解決するための手段】
第１発明に係る生体情報管理システムは、通信装置と、通信線を介して接続される前記通信装置から送信された情報に基づいて、管理対象者の生体状態を示す生体情報を管理する生体情報管理装置とを備える生体情報管理システムにおいて、前記通信装置は、生体に関する質問に対する管理対象者の回答を示す回答情報を受け付ける手段と、受け付けた回答情報を前記生体情報管理装置へ送信する手段とを備え、前記生体情報管理装置は、前記通信装置から受信した回答情報に基づいて、前記管理対象者の生体状態を判定する手段と、判定した生体状態に対応する投薬、食事又は運動に関する指導情報を前記通信装置へ送信する手段とを備えることを特徴とする。
【０００７】
第１発明においては、通信装置により、生体に関する質問に対する管理対象者の回答を示す回答情報を受け付け、受け付けた回答情報を通信線を介して接続される生体情報管理装置へ送信する。そして、生体情報管理装置により、前記通信装置から受信した回答情報に基づいて、前記管理対象者の生体状態を判定し、判定した生体状態に対応する投薬、食事又は運動に関する指導情報を前記通信装置へ送信する。
これにより、前記生体情報管理装置を管理する病院等の施設の外にいる管理対象者が計測器により生体状態を示す生体情報の計測を行うことが不可能な環境にある、又は、生体情報が計測器による計測が不可能な種類のものである等の場合であっても、生体情報の種類に応じた生体に関する質問を予め用意しておき、その質問に対する回答情報を受け付けることにより、管理対象者の生体状態に対応した適切な指導を行うことが可能である。
【０００８】
第２発明に係る生体情報管理システムは、第１発明において、前記生体情報管理装置は、前記生体状態に対応する報知を行う手段を備えることを特徴とする。
【０００９】
第２発明においては、前記生体情報管理装置により前記生体状態に対応する報知を行うことにより、医療従事者等の報知対象者に対する報知方法の違いにより、前記管理対象者への報知対象者等による処置がすぐに必要な場合には前記管理対象者の生体状態をより迅速に報知対象者に認識させ、また、前記管理対象者への処置が必要ではないが報知すべき場合には報知対象者の都合に合わせた報知方法で前記管理対象者の生体状態を認識させることが可能である。
【００１０】
第３発明に係る生体情報管理システムは、第１発明又は第２発明において、前記生体情報管理装置は、前記生体状態を、時間情報と対応付けて履歴情報として記憶する手段と、記憶した履歴情報を前記通信装置へ送信する手段とを備えることを特徴とする。
【００１１】
第３発明においては、前記生体情報管理装置により、前記生体状態を、時間情報と対応付けて履歴情報として記憶し、記憶した履歴情報を前記通信装置へ送信することにより、管理対象者に、自身の生体状態の履歴を確認させることができる。
【００１２】
第４発明に係る生体情報管理システムは、第１発明乃至第３発明の何れかにおいて、前記生体情報管理装置は、複数の管理対象者の生体状態を示す生体情報を集団情報として記憶する手段と、記憶した集団情報に基づいて、受信した回答情報に基づいて判定した生体状態の相対評価を行う手段と、相対評価を行った結果を前記通信装置へ送信する手段とを備えることを特徴とする。
【００１３】
第４発明においては、前記生体情報管理装置により、複数の管理対象者の生体状態を示す生体情報を集団情報として記憶し、記憶した集団情報に基づいて、受信した回答情報に基づいて判定した生体状態の相対評価を行い、相対評価を行った結果を前記通信装置へ送信する。これにより、管理対象者に、自身の生体状態はどのようなレベルにあるのかを認識させることが可能である。
【００１４】
第５発明に係る生体情報管理装置は、外部装置から通信線を介して送信された情報に基づいて、管理対象者の生体状態を示す生体情報を管理する生体情報管理装置において、外部装置から受信した、生体に関する質問に対する管理対象者の回答情報に基づいて、前記管理対象者の生体状態を判定する手段と、判定した生体状態に対応する投薬、食事又は運動に関する指導情報を前記外部装置へ送信する手段とを備えることを特徴とする。
【００１５】
第５発明においては、通信線を介して外部装置から受信した、生体に関する質問に対する管理対象者の回答情報に基づいて、前記管理対象者の生体状態を判定し、判定した生体状態に対応する投薬、食事又は運動に関する指導情報を前記外部装置へ送信する。
これにより、生体情報管理装置を管理する病院等の施設の外にいる管理対象者が計測器により生体状態を示す生体情報の計測を行うことが不可能な環境にある、又は、生体情報が計測器による計測が不可能な種類のものである等の場合であっても、生体情報の種類に応じた生体に関する質問を予め用意しておき、その質問に対する回答情報を受け付けることにより、管理対象者の生体状態に対応した適切な指導を行うことが可能である。
【００１６】
【発明の実施の形態】
以下、本発明をその実施の形態を示す図面に基づいて説明する。
図１は本発明に係る生体情報管理システムの概念を示す説明図である。また、図２は本発明に係る生体情報管理装置、及び通信装置としての携帯電話機の構成を示すブロック図である。
【００１７】
１０は、コンピュータを用いてなる本発明に係る生体情報管理装置（以下、管理装置という）であり、管理装置１０は、管理対象者の生体状態を示す生体情報を管理する医療施設、健康管理施設等によって管理され、インターネット等の通信網ＮＷに接続している。本実施の形態においては、管理装置１０が、医療施設としての病院１００によって管理されている場合について説明する。
【００１８】
また、通信網ＮＷには、通信装置としての携帯電話機２０が接続されており、本実施の形態においては、携帯電話機２０は、病院１００を利用している患者２００により操作される。このような患者２００はその生体情報が管理される管理対象者であり、本実施の形態においては、糖尿病を患っており、病院１００の外の自宅等において食事療法及び運動療法により療養している人とする。なお、本実施の形態においては通信装置を携帯電話機２０としているが、患者２００の自宅等に設置されている、通信網ＮＷに接続が可能なコンピュータ等であってもよい。
【００１９】
患者２００は、定期的に、病院１００からの要求が有る都度、又は、血糖値が通常よりも高い場合等の所望のタイミングで、血糖値測定器で測定して得られた血糖値を、携帯電話機２０を操作して管理装置１０へ送信する。管理装置１０は、送信された血糖値が、予め設定された許容値よりも高い場合に、生体に関する質問に対する回答を示す回答情報を携帯電話機２０から受信し、その回答情報に基づいて患者２００の生体状態を判定し、判定した生体状態に基づいて各種の処理を行う。
【００２０】
各種の処理としては、まず、判定した生体状態に対応する食事又は運動に関する指導情報を携帯電話機２０へ送信する。また、患者２００の生体状態を病院１００に所属している医者、看護婦等の医療従事者へ通知すべく、生体状態に対応する報知を行う。
さらに、携帯電話機２０へ、患者２００の生体状態の履歴情報を送信したり、同様に糖尿病を患っている多数の患者の生体状態との相対評価を行ってその評価結果を示す相対評価結果情報を携帯電話機２０へ送信したりする。
【００２１】
このような管理装置１０は、図２に示すように、演算を行うＣＰＵ１１、ＲＡＭ１２、コンピュータプログラム及びデータ等の情報を記録したＣＤ−ＲＯＭ等の記録媒体３から情報を読み取るＣＤ−ＲＯＭドライブ等の外部記憶部１３、ハードディスク等の内部記憶部１４、キーボード又はマウス等の入力部１５、ＣＲＴディスプレイ又は液晶ディスプレイ等の表示部１６、並びに通信網ＮＷに接続する通信部１７を備えている。外部記憶部１３により読み取り、内部記憶部１４に記憶したコンピュータプログラム及びデータ等の情報を読み取り、ＲＡＭ１２にロードし、ＣＰＵ１１により実行することで、コンピュータは、本発明に係る管理装置１０として動作する。
【００２２】
また、内部記憶部１４は、管理対象者として登録されている複数の患者それぞれの血糖値の履歴情報を記憶する履歴データベース１４ａ、糖尿病患者用の生体に関する質問を示す質問情報を記憶する質問データベース１４ｂ、食事又は運動に関する指導情報を記憶する指導データベース１４ｃ、病院１００に所属する医療従事者への生体状態に対応する報知方法を記憶する報知データベース１４ｄ等の各種のデータベースを備えている。
履歴データベース１４ａには、患者の名前等の患者を特定する患者ＩＤ毎に、血糖値が時間情報と対応付けて記憶されている。
【００２３】
一方、携帯電話機２０は、演算を行うＣＰＵ２１と、ＲＡＭ２２と、ＲＯＭ２３とを備えている。携帯電話機２０は、各種の処理に必要なプログラム及び各種データ等の情報をＲＯＭ２３に記憶し、前記プログラムをＲＡＭ２２にロードし、ＣＰＵ２１は前記プログラムに基づいて処理を実行する。
また、携帯電話機２０は、液晶ディスプレイ等の表示部２４、各種のキーからなる入力部２５、通信網ＮＷに接続する無線通信部２６を備えている。
【００２４】
以下、本発明に係る生体情報管理システムにおける管理装置１０及び携帯電話機２０の生体情報管理処理を図４及び図５に示すフローチャートに基づいて説明する。
携帯電話機２０を操作する患者２００は、血糖値測定器により血糖値を測定した後、患者２００を特定する患者ＩＤを含む認証情報、及び、測定して得られた血糖値を入力部２５に入力する。
携帯電話機２０では、ＣＰＵ２１が入力部２５への認証情報及び血糖値の入力を受け付け（ステップＳ１１１）、受け付けた認証情報及び血糖値を管理装置１０へ送信する（ステップＳ１１２）。
【００２５】
管理装置１０では、ＣＰＵ１１が通信部１７により認証情報及び血糖値を受信し（ステップＳ１１３）、受信した認証情報を用いて認証を行い（ステップＳ１１４）、受信した血糖値は予め設定された許容値よりも高いか否かを判定する（ステップＳ１１５）。ステップＳ１１５において血糖値は許容値よりも低いと判定した場合（ステップＳ１１５：ＮＯ）、管理装置１０では、ＣＰＵ１１が、受信した血糖値を時間情報と対応付けて履歴データベース１４ａに記憶させる（ステップＳ１１６）。
なお、ステップＳ１１４の認証で失敗した場合には、認証情報を再送するように通知する情報を携帯電話機２０へ送信する。
【００２６】
一方、ステップＳ１１５において血糖値は許容値よりも高いと判定した場合（ステップＳ１１５：ＹＥＳ）、管理装置１０では、ＣＰＵ１１が糖尿病患者用の生体に関する質問を示す質問情報を質問データベース１４ｂから読み出し、通信部１７により携帯電話機２０へ送信する（ステップＳ１１７）。
携帯電話機２０では、ＣＰＵ２１が無線通信部２６により質問情報を受信し（ステップＳ１１８）、受信した質問情報を表示部２４に表示する（ステップＳ１１９）。
【００２７】
患者２００は、表示された質問情報が示す質問を確認し、質問に対する回答を示す回答情報を、入力部２５に入力する。
なお、糖尿病患者用の生体に関する質問としては、例えば食事について、食品が７種類に分類されている「糖尿病食事療法のための食品交換表」（日本糖尿病学会編）に基づいて、１日の各食事において、どの種類の食品を何単位（１単位は８０ｋｃａｌ）ずつ摂取したか等があり、また運動について、どのような運動を何分間行ったか等がある。
その他の生体に関する質問としては、例えば自覚症状、活動状態等について、全身がだるいか、動作がぎこちないか、足元がふらつくか等がある。
【００２８】
携帯電話機２０では、ＣＰＵ２１が入力部２５への回答情報の入力を受け付け（ステップＳ１２０）、無線通信部２６により受け付けた回答情報を管理装置１０へ送信する（ステップＳ１２１）。
管理装置１０では、ＣＰＵ１１が通信部１７により回答情報を受信する（ステップＳ１２２）。
なお、携帯電話機２０の表示部２４の表示画面のサイズを考慮して、ステップＳ１１７において送信する質問情報を１個又は少数個の質問毎に分割しておき、ステップＳ１１７からステップＳ１２２までの処理を分割した回数繰り返して行うものであってもよい。
【００２９】
図６はステップＳ１１９からステップＳ１２０において携帯電話機２０の表示部２４に表示される表示画面例を示す説明図である。
図６においては自覚症状、活動状態等についての質問が表示されている表示画面例を示しているが、質問に対する回答を、患者の状態に該当する項目を選択する形式としてあることにより、患者２００が選択した項目に対応して設けられるチェックボックスにチェックが表示され、そして、患者２００がさらに画面下部分に表示される「送信」ボタンを操作することにより、ステップＳ１２１において前記チェック表示に対応する回答情報の送信処理を行うように構成してある。
【００３０】
そして、管理装置１０では、ＣＰＵ１１が受信した食事及び運動に関する回答を示す回答情報を用いてエネルギー量（食事により摂取したエネルギー量及び運動により消費したエネルギー量）を算出し（ステップＳ１２３）、算出したエネルギー量、及び、食事及び運動以外の自覚症状等に関する回答を示す回答情報に基づいて、患者の生体状態を判定する（ステップＳ１２４）。
この生体状態の判定の処理においては、例えば、食事により摂取したエネルギー量が特に多い場合には、食事を改善すべき状態である（生体状態Ａ）と判定する。また、運動により消費したエネルギー量が特に少ない場合には、運動を増やすべき状態である（生体状態Ｂ）と判定する。また、高熱が出る等の急性の変化がある場合には、しばらく運動を控えるべき状態である（生体状態Ｃ）と判定する。
【００３１】
そして、管理装置１０では、ＣＰＵ１１が、ステップＳ１１３において受信した血糖値、及び、ステップＳ１２４において判定した生体状態を、時間情報と対応付けて履歴情報として履歴データベース１４ａに記憶させ（ステップＳ１２５）、履歴データベース１４ａに記憶されている全患者についての最新の血糖値及び生体状態に基づいて、ステップＳ１１３において受信した血糖値、及び、ステップＳ１２４において判定した生体状態の相対評価を行う（ステップＳ１２６）。
この相対評価の処理においては、患者２００が、履歴データベース１４ａに履歴情報が記憶されている全患者中のどのレベルにあるかを評価する。
【００３２】
そして、管理装置１０では、ステップＳ１２４において判定した生体状態に対応する報知方法を報知データベース１４ｄから読み出してその報知方法による報知を行う（ステップＳ１２７）。例えば、生体状態の報知レベルの基準を設けておき、報知レベルが低い場合には、管理装置１０が備える表示部１６に患者ＩＤ、血糖値、生体状態及び時間情報を表示するようにし、報知レベルが高くなるに連れて、表示部１６の表示画面を点滅させる、図示しないブザーを鳴動させる、医療従事者が携帯する図示しないＰＨＳ等に音声メッセージを送信する等の報知処理を行うように報知データベース１４ｄに記憶されている。このような報知方法の違いにより、患者２００の生体状態に応じて、より迅速に又は医療従事者の都合に合わせて患者２００の生体状態を報知することができる。
【００３３】
そして、管理装置１０では、ＣＰＵ１１が、判定した患者の生体状態に対応する食事、運動に関する指導情報を指導データベース１４ｃから読み出すと共に、履歴データベース１４ａに記憶されている患者２００の血糖値、生体状態の履歴情報を読み出し、通信部１７により指導情報、履歴情報、及び、ステップＳ１２６で相対評価を行った結果を示す相対評価結果情報を携帯電話機２０へ送信する（ステップＳ１２８）。
なお、指導データベース１４ｃには、図３に示すように、生体状態に対応する食事、運動に関する指導情報として、例えば上述した生体状態Ａに対応して「食事を＊＊＊ｋｃａｌ  分減らして下さい。」という指導情報が記憶されており、上述した生体状態Ｂに対応して「＊＊＊ｋｃａｌ  消費するための運動を行って下さい。」という指導情報が記憶されている。
【００３４】
携帯電話機２０では、ＣＰＵ２１が無線通信部２６により指導情報、履歴情報及び相対評価結果情報を受信し（ステップＳ１２９）、指導情報、履歴情報及び相対評価結果情報を表示部２４に表示する（ステップＳ１３０）。
図７は、ステップＳ１３０において指導情報、履歴情報及び相対評価結果情報が表示される携帯電話機２０の表示部２４の表示画面例を示す。これにより、患者２００は、自身の生体状態に対応する指導を受けることができると共に、履歴、相対評価結果を確認することができる。
【００３５】
なお、本実施の形態においては、糖尿病を患う患者２００の生体状態に対応する食事又は運動に関する指導情報を管理装置１０から携帯電話機２０へ送信するようにしたが、患者２００が患っている病気の種類又は患者２００の生体状態等に応じて、投薬、食事、運動のうち適宜の項目に関する指導情報を管理装置１０から携帯電話機２０へ送信するものであってよい。
【００３６】
また、本実施の形態においては、携帯電話機２０から送信された、糖尿病を患う患者２００の血糖値が高い場合に管理装置１０が質問情報を携帯電話機２０へ送信するようにしているが、携帯電話機２０がステップＳ１１２において認証情報のみを管理装置１０へ送信し、管理装置１０が生体状態を判定するための質問情報を携帯電話機２０へ送信するものであってもよい。
【００３７】
例えば、痛みを伴う病気である関節リウマチの患者用に本生体情報管理システムを適用する場合には、管理装置１０は、生体状態としての痛みの程度を判定するための質問情報を携帯電話機２０へ送信し、返信される回答情報に基づいて痛みの程度を判定する。そして、判定した痛みの程度に対応する投薬、運動に関する指導情報を携帯電話機２０へ送信するものであってもよい。
このような痛みを伴う病気の場合、患者２００が痛みの程度の履歴を確認することにより、例えば、現時点の痛みと同じ程度の痛みが過去にも度々有ったことを確認すると、過去と同様に痛みがしばらくすると治まることがわかり、患者２００は安心できることがある。また、患者２００が痛みの程度の相対評価結果を確認することにより、自分と同じ痛みの程度の患者が他にもたくさんいる、又は、自分よりも痛みの程度が激しい患者が他にもたくさんいることがわかると、患者２００は精神的に癒されることがある。
【００３８】
【発明の効果】
本発明によれば、生体情報管理装置を管理する病院等の施設の外にいる管理対象者が計測器により生体状態を示す生体情報の計測を行うことが不可能な環境にある、又は、生体情報が計測器による計測が不可能な種類のものである等の場合であっても、生体情報の種類に応じた生体に関する質問を予め用意しておき、その質問に対する回答情報を受け付けることにより、管理対象者の生体状態に対応した適切な指導を行うことが可能である。
【００３９】
また、本発明によれば、前記生体情報管理装置により前記生体状態に対応する報知を行うことにより、医療従事者等の報知対象者に対する報知方法の違いにより、前記管理対象者への報知対象者等による処置がすぐに必要な場合には前記管理対象者の生体状態をより迅速に報知対象者に認識させ、また、前記管理対象者への処置が必要ではないが報知すべき場合には報知対象者の都合に合わせた報知方法で前記管理対象者の生体状態を認識させることが可能である。
【００４０】
また、本発明によれば、前記生体情報管理装置により、前記生体状態を、時間情報と対応付けて履歴情報として記憶し、記憶した履歴情報を前記通信装置へ送信することにより、管理対象者に、自身の生体状態の履歴を確認させることができる。
【００４１】
さらに、本発明によれば、前記生体情報管理装置により、複数の管理対象者の生体状態を示す生体情報を記憶し、記憶した情報に基づいて、受信した回答情報に基づいて判定した生体状態の相対評価を行い、相対評価を行った結果を前記通信装置へ送信する。これにより、管理対象者に、自身の生体状態はどのようなレベルにあるのかを認識させることが可能である。
【図面の簡単な説明】
【図１】本発明に係る生体情報管理システムの概念を示す説明図である。
【図２】本発明に係る生体情報管理装置及び携帯電話機の構成を示すブロック図である。
【図３】本発明に係る生体情報管理装置が備える指導データベースの記憶内容例を示す説明図である。
【図４】本発明に係る生体情報管理システムにおける生体情報管理装置及び携帯電話機の生体情報管理処理を示すフローチャートである。
【図５】本発明に係る生体情報管理システムにおける生体情報管理装置及び携帯電話機の生体情報管理処理を示すフローチャートである。
【図６】携帯電話機の表示部の表示画面例を示す説明図である。
【図７】携帯電話機の表示部の表示画面例を示す説明図である。
【符号の説明】
１０  生体情報管理装置
１１、２１  ＣＰＵ
１４  内部記憶部
１４ａ  履歴データベース
１４ｃ  指導データベース
１７  通信部
２０  携帯電話機
２５  入力部
２６  無線通信部
ＮＷ  通信網
【図１】
2004344571.tif 000003
【図２】
2004344571.tif 000004
【図３】
2004344571.tif 000005
【図４】
2004344571.tif 000006
【図５】
2004344571.tif 000007
【図６】
2004344571.tif 000008
【図７】
2004344571.tif 000009